(57)【要約】【課題】装置のコスト削減、小型化及び耐久性の向上を図ると共に、停電時に誤って搬送バスケット内の被搬送物を放出することがない仕分配送装置を提供すること。【解決手段】搬送バスケット２００が被搬送物の搬送中は閉鎖状態である開閉可能な底蓋２１０を有しており、仕分先シュート部近傍に設置されたロータリソレノイドの回動により底蓋が開放状態にされ、搬送バスケット内の被搬送物が仕分先シュート部に放出されるものであって、ティップアップレバー３００がロータリソレノイドの回転軸に固着されており、ロータリソレノイドの通電時に回動上昇し、搬送用バスケットの底蓋の閉鎖状態を解除すると共に、非通電時に自然に回動降下する手段を備えている【選択図】図４
2005296711.tif 000002
【特許請求の範囲】
【請求項１】
循環搬送路に沿って移動する搬送用バスケット及び前記循環搬送路の少なくとも一箇所に設けられ前記搬送用バスケットに被搬送物を投入する被搬送物投入部並びに前記搬送用バスケットから放出される被搬送物を受け取る少なくとも一つの仕分先シュート部を有する仕分配送装置において、
前記搬送バスケットが前記被搬送物の搬送中は閉鎖状態である開閉可能な底蓋を有しており、前記仕分先シュート部近傍に設置されたロータリソレノイドの回動により前記底蓋が開放状態にされ、前記搬送バスケット内の被搬送物が前記仕分先シュート部に放出されるものであって、
ティップアップレバーが前記ロータリソレノイドの回転軸に固着されており、前記ロータリソレノイドの通電により回動上昇し、前記搬送用バスケットの底蓋の閉鎖状態を解除すると共に、非通電時に自然に回動降下する手段を備えていること
を特徴とする仕分配送装置。
【請求項２】
前記回動降下する手段が、前記ティップアップレバー先端部の自重であること
を特徴とする請求項１に記載の仕分配送装置。
【請求項３】
前記回動降下する手段が、前記ティップアップレバー先端部近傍に固着した重りであること
を特徴とする請求項１に記載の仕分配送装置。
【発明の詳細な説明】
【技術分野】
【０００１】
本発明は、被搬送物に付与された仕分先データ等の識別情報を読み取るデータ読み取り機構などを備えた被搬送物投入部から送り込まれた被搬送物を、被搬送物に付与された識別情報によって特定される所望の仕分先シュート部に放出する搬送バスケットを備えた仕分配送用装置に関する。
【背景技術】
【０００２】
従来の仕分配送用装置は、被搬送物を投入可能なように少なくとも一面が開口し且つ底蓋が開閉可能に構成された複数の搬送バスケットを所望の搬送路に沿って循環走行するチェーンに取り付けるとともに、搬送路の少なくとも一箇所に設けられた仕分先シュート部において、特定の被搬送物を保持している搬送バスケットの底蓋を開放することによって、その被搬送物を指定された仕分先シュート部に放出する構造をしている。その際、底蓋の開閉を制御する手段として、底蓋に延設されたフックをロータリソレノイドの回転軸に固設したレバーの回動上昇により解除することが知られている（例えば、特許文献１参照）。
【特許文献１】特公平２−５４７３号公報（第２頁第４欄及び第５図）
【発明の開示】
【発明が解決しようとする課題】
【０００３】
しかしながら、従来のような仕分配送用装置においては、ロータリソレノイドに通電することによってレバーを回動上昇させた後に、何らかの原因によりロータリソレノイドへの通電が停止した場合、レバーが原点に復帰せず、後続する搬送バスケットの底蓋を誤って開放してしまうという課題が懸念されていた。そのような自体を回避するためには、例えば、（１）停電を防止するための無停電電源装置を設置する、（２）ロータリソレノイドが非通電時に自動的に原点に復帰するようにばね等による付勢手段を設ける等の対策を講じる必要があった。そのため、（１）の場合には装置のコストアップや大型化の原因になり、（２）の場合には付勢手段の劣化により、耐久性が低下する原因になっていた。
【０００４】
そこで、本発明の目的は、装置のコスト削減、小型化及び耐久性の向上を図ると共に、停電時に誤って搬送バスケット内の被搬送物を放出することなく、高い信頼性を有する仕分配送装置を提供することにある。
【課題を解決するための手段】
【０００５】
本請求項１に係る発明は、循環搬送路に沿って移動する搬送用バスケット及び前記循環搬送路の少なくとも一箇所に設けられ前記搬送用バスケットに被搬送物を投入する被搬送物投入部並びに前記搬送用バスケットから放出される被搬送物を受け取る少なくとも一つの仕分先シュート部を有する仕分配送装置において、前記搬送バスケットが前記被搬送物の搬送中は閉鎖状態である開閉可能な底蓋を有しており、前記仕分先シュート部近傍に設置されたロータリソレノイドの回動により前記底蓋が開放状態にされ、前記搬送バスケット内の被搬送物が前記仕分先シュート部に放出されるものであって、ティップアップレバーが前記ロータリソレノイドの回転軸に固着されており、前記ロータリソレノイドの通電時に回動上昇し、前記搬送用バスケットの底蓋の閉鎖状態を解除すると共に、非通電時に自然に回動降下する手段を備えていることにより、上述した課題を解決するものである。
【０００６】
そして、本請求項２に係る発明は、請求項１に係る発明の構成に加えて、ティップアップレバーを確実に回動降下する手段が、ティップアップレバー先端部の自重であることにより、上述した課題をさらに解決している。
【０００７】
また、本請求項３に係る発明は、請求項１に係る発明の構成に加えて、ティップアップレバーを確実に回動降下する手段が、ティップアップレバー先端部近傍に固着した重りであることにより、上述した課題をさらに解決している。
【０００８】
なお、本発明の仕分配送装置において、「被搬送物」とは、雑誌や書籍などの出版物や郵便物などの偏平物を封入または封緘したシート状物品を意味するものである。そして、「被搬送物投入部」とは、各被搬送物に付与された仕分先データ等の識別情報を読み取るデータ読み取り機構などを備えており、循環搬送路に沿って移動する搬送用バスケットに各被搬送物を送り込むための部位を意味するものである。さらに、「仕分先シュート部」とは、前述した被搬送物投入部のデータ読み取り機構などで読み取った仕分先データ等の識別情報に基づいて、搬送バスケット中の被搬送物を所定の仕分先に応じた被搬送物回収ボックスなどに移載するための傾斜搬送路を意味するものである。
【発明の効果】
【０００９】
本発明の仕分配送装置は、上述したような特有の装置構成を備えているため、以下のような格別の効果を奏することができる。
【００１０】
すなわち、本請求項１に係る発明の仕分配送装置は、循環搬送路に沿って移動する搬送用バスケット及び前記循環搬送路の少なくとも一箇所に設けられ前記搬送用バスケットに被搬送物を投入する被搬送物投入部並びに前記搬送用バスケットから放出される被搬送物を受け取る少なくとも一つの仕分先シュート部を有する仕分配送装置において、前記搬送バスケットが前記被搬送物の搬送中は閉鎖状態である開閉可能な底蓋を有しており、前記仕分先シュート部近傍に設置されたロータリソレノイドの回動により前記底蓋が開放状態にされ、前記搬送バスケット内の被搬送物が前記仕分先シュート部に放出されるものであって、ティップアップレバーが前記ロータリソレノイドの回転軸に固着されており、前記ロータリソレノイドの通電時に回動上昇し、前記搬送用バスケットの底蓋の閉鎖状態を解除すると共に、非通電時に自然に回動降下する手段を備えている構成にしたことにより、停電等により、ロータリソレノイドへの通電が停止した際に、ティップアップレバーが上昇位置に保持されたままになることなく、確実に原点位置に復帰し、搬送用バスケットの底蓋を誤って開放状態にすることが防止される。
【００１１】
また、本請求項２に係る発明の仕分配送装置は、ティップアップレバー先端部の自重によりティップアップレバーを自然に回動降下させる手段を構成したことにより、本請求項１に係る発明が奏する効果に加えて、装置の部品点数削減によりコストダウンが図られると共に、装置の小型化及び耐久性の向上が図られる。
【００１２】
一方、本請求項３に係る発明の仕分配送装置は、ティップアップレバー先端部近傍に固着した重りをティップアップレバーを自然に回動降下させる手段としたことにより、本請求項１に係る発明が奏する効果に加えて、既存の装置の一部を改造することによって、本発明を構成することができ、一層のコストダウンが達成される。
【発明を実施するための最良の形態】
【００１３】
本発明による仕分配送用装置の実施の形態について、図面に基づいて説明する。図１は、本発明による仕分配送装置を側方から水平方向に見た時の側面図であり、図２は、図１に示した仕分配送装置を上方から垂直方向に見た時の上面図である。また、図３及び図４は、本発明の特徴部分である搬送バスケットの開閉機構を示す図であり、図３は搬送バスケットの底蓋の閉鎖状態を、図４は搬送バスケットの底蓋の開放状態を示している。
【００１４】
本実施例の仕分配送装置１００は、図１及び図２に示すように、複数の搬送用バスケット２００が所定の間隔を保って、循環搬送路Ｏに沿って掛架されたコンベヤチェーン等に連結されており、循環搬送路を移動可能に設けられている。また、循環搬送路Ｏの少なくとも一箇所に搬送用バスケット２００に被搬送物を投入する被搬送物投入部Ｉが設けられている。この被搬送物投入部Ｉには、投入される被搬送物に付与された仕分先データ等の識別情報を読み取るデータ読み取り機構を備えている。この実施例においては、被搬送物投入部Ｉから搬送用バスケット２００への被搬送物の投入を円滑且つ確実に行うために、被搬送物投入部Ｉと搬送用バスケット２００との間に搬送用バスケット２００の移動速度と同期して回転する回転盤１１０を設け、この回転盤１１０の外周縁に付設された移載バスケット１２０を介して、搬送用バスケット２００が被搬送物を順次受け取る構成となっている。なお、図１及び図２の描写においては、循環搬送路Ｏに沿って所定の間隔を保って連結された複数の搬送用バスケット２００のうち、一部を省略している。
【００１５】
この搬送用バスケット２００は、図３に示すように、被搬送物の搬送中は閉鎖状態である開閉可能な底蓋２１０を有している。この底蓋２１０は、開閉軸２１２により軸支されており、ねじりばね２１４により、図４に示すように開放状態となるように付勢されている。また、底蓋２１０には、底蓋閉ピン２１６が垂設されており、この底蓋閉ピン２１６が、搬送用バスケット２１０の側壁に回転軸２２２により軸支されたフックレバー２２０の湾曲部２２６に係合することにより、底蓋２１０の閉鎖状態が保持可能となっている。このフックレバー２２０は、ねじりばね２２４により付勢されており、常時は、湾曲部２２６と底蓋閉ピン２１６の係合状態が保たれている。一方、仕分先シュート部Ｃの近傍に設置されたロータリソレノイドへの通電により、ロータリソレノイドの回動軸に固着されたティップアップレバー３００が回動上昇し、循環搬送路に沿って進行している搬送用バスケット２００のフックレバー２２０とティップアップレバー３００とが当接し、搬送用バスケット２００が進行するにつれて、フックレバー２２０が付勢方向と逆方向に回動され、底蓋２１０が、ねじりばね２１４の付勢力によって開放状態となる。
【００１６】
このロータリソレノイドは、ロータリソレノイド内に設置されている永久磁石によって所定の回転角ごとに安定位置が設定されており、通電により回転軸が所定の回転角回動する構造になっている。本実施例においては、被搬送物投入部Ｉに設置されたデータ読み取り機構により読み取られた仕分先データ等の識別情報に基づき被搬送物を放出すべき仕分先シュート部Ｃの近傍に設置されたロータリソレノイドに通電され、ロータリソレノイドがティップアップレバー３００を上昇させる方向に回動し安定位置で静止する。そして、ティップアップレバー３００がフックレバー２２０に当接し、底蓋を２１０を開放状態とした後、ロータリソレノイドに逆通電されることにより、ティップアップレバー３００を降下させる方向に回動し別の安定位置において静止する。
【００１７】
本発明の仕分配送装置１００に装着されたティップアップレバー３００は、その先端近傍に重心が存在するようなの形状としたり、先端近傍に重りを固設することによって、通電を停止した時に自然にティップアップレバー３００が降下するように構成されている。そのため、仕分配送装置１００の動作中にロータリソレノイドへの通電が停止した際に、ティップアップレバー３００が上昇位置のまま停止することがなく、後続する搬送バスケット内の被搬送物を仕分先シュート部Ｃに間違って放出されることが阻止される。
【００１８】
底蓋２１０が開放状態になった搬送用バスケット２００は、循環搬送路を進行中に、底蓋２１０の開放端側に軸支された底蓋閉用ローラ２１８と循環搬送路の少なくとも一箇所に設置されたガイドレール４００とが摺接することによって、そのガイドレール４００の傾斜に誘導されて、再び閉鎖状態に戻る。
【００１９】
なお、本実施例においては、データ読み取り機構により読み取られた仕分先データ等の識別情報に基づき被搬送物を放出すべき仕分先シュート部の近傍に設置されたロータリソレノイドの通電を制御しているが、操作端末等により直接、ロータリーソレノイドの通電を制御することも可能である。
【図面の簡単な説明】
【００２０】
【図１】本発明の一実施例である仕分配送用装置を側方から水平方向に見た時の側面図。
【図２】図１に示した仕分配送用装置を上方から垂直方向に見た時の上面図。
【図３】本実施例で用いた搬送用バスケットの底蓋が閉鎖状態にある時の側面図。
【図４】本実施例で用いた搬送用バスケットの底蓋が開放状態にある時の側面図。
【符号の説明】
【００２１】
１００  ・・・  仕分配送用装置
１１０  ・・・  回転盤
１２０  ・・・  移載バスケット
２００  ・・・  搬送用バスケット
２１０  ・・・  底蓋
２１２  ・・・  開閉軸
２１４、２２４  ・・・  ねじりばね
２１６  ・・・  底蓋閉ピン
２１８  ・・・  底蓋閉用ローラ
２２０  ・・・  フックレバー
３００  ・・・  ティップアップレバー
４００  ・・・  ガイドレール
Ｃ      ・・・  仕分先シュート部
Ｉ      ・・・  被搬送物投入部
Ｏ      ・・・  循環搬送路
【図１】
2005296711.tif 000003
【図２】
2005296711.tif 000004
【図３】
2005296711.tif 000005
【図４】
2005296711.tif 000006